(57)【要約】【課題】  従来の野球分析映像は、投球フォームのチェックや球軌道のチェックは可能なものの、実際のバッターの視点から見た映像とは異なるという問題があった。  本発明は上記問題点を解決し、同一投球に対して左右バッターの視点から見た映像を比較可能な撮影・表示装置を提供する事を課題としている。【解決手段】  本発明の野球トレーニングシステムは、複数のカメラにより左右のバッター視点でピッチャーの投球を撮影し、同一画面内に同期表示して投球フォームや球軌道の見え方の差異を分析出来る様にしているので、より実践的なトレーニングが可能である。【選択図】  図２
2012040071.tif 000002
【特許請求の範囲】
【請求項１】
野球トレーニングにおいて、
バッター視点でピッチャーの投球を連続撮影する複数のカメラと、
該カメラで撮影した映像を投球毎に複数の映像ファイルとして記録する記録装置と、
該記録装置に記録された複数映像を同一画面内に同期表示する表示装置と、
これらを制御するコントローラとを含む事を特徴とする野球トレーニングシステム。
【請求項２】
上記同期映像が、左右のバッターボックスのバッター視点で同時撮影した物であり、視点の違いによる投球フォームや球軌道の視差が分析出来る事を特徴とする請求項１に記載の野球トレーニングシステム。
【請求項３】
上記同期映像が、同一ピッチャーの異なる球種の投球を撮影した物であり、球種の違いによる投球フォームや球軌道の差異が分析出来る事を特徴とする請求項１に記載の野球トレーニングシステム。
【請求項４】
上記同期映像が、異なるピッチャーの同一球種の投球を撮影した物であり、ピッチャーの違いによる投球フォームや球軌道の差異が分析出来る事を特徴とする請求項１に記載の野球トレーニングシステム。
【請求項５】
上記撮影映像の１つを選択表示し、再生映像に合わせたバッターのバットスイングを複数のカメラにより多視点映像として同時撮影し、同期表示して球種やピッチャーの違いによるバットスイングの差異が分析出来る事を特徴とする請求項１に記載の野球トレーニングシステム。
【発明の詳細な説明】
【技術分野】
【０００１】
本発明は、ビデオカメラを利用した野球のトレーニングシステムに関するものである。
【背景技術】
【０００２】
従来のビデオカメラを利用したピッチャーの投球分析は、投手の側面、後方または捕手後方からの単独撮影映像によるものであり、バッターのバットスイングの分析も後方、側面、背面等の単独撮影映像によるものであった。
【先行技術文献】
【特許文献】
【０００３】
【特許文献１】特開平１０−１１１９４０号公報
【特許文献２】特開２００３−０１８５８９号公報
【発明の概要】
【発明が解決しようとする課題】
【０００４】
しかしながら、従来の単独撮影映像は、ピッチャーの基礎的な投球動作のチェックや球軌道のチェックは可能なものの、実際のバッターの視点から見た映像とは異なるという問題があった。
【０００５】
本発明は上記問題点を解決し、同一投球に対して左右のバッターの視点から見た映像を比較可能な撮影・表示装置を提供する事を課題としている。
【課題を解決するための手段】
【０００６】
上記問題を解決する為に、本発明の野球トレーニングシステムは、複数のカメラにより左右のバッター視点でピッチャーの投球を撮影し、同一画面内に同期表示し、投球フォームや球軌道の見え方の差異が分析出来る事を特徴としている。
【０００７】
またこの発明によれば、同一ピッチャーでも球種の違いによる投球フォーム及び球軌道の差異をバッター視点で表示・分析する事が可能であるし、多視点バッター映像の同期表示によりバットスイングの差異分析も可能である。
【発明の効果】
【０００８】
本発明によれば、対右打者用及び対左打者用の投球フォーム及び球軌道の差異を有効に分析する事が出来、より実践的な投球術や打撃術を向上させる有効な練習をする事が出来るという効果がある。
【図面の簡単な説明】
【０００９】
【図１】従来の野球分析方法のブロック図である。
【図２】本発明によるピッチャー分析方法のブロック図である。
【図３】本発明によるピッチャー分析方法の表示画面図である。
【図４】本発明によるバッター撮影方法を示す図である。
【図５】本発明によるバッター分析方法のブロック図である。
【図６】本発明によるバッター分析方法の表示画面図である。
【発明を実施するための形態】
【００１０】
以下従来の野球分析方法について図１を用いて説明する。
【００１１】
コントローラ１１５の制御により、カメラ１０１で撮影されたピッチャーやバッターの被験者映像は記録装置１１１に記録され、表示装置１１２に表示される。分析者は表示装置１１２の表示映像を参照して、身体特徴点データや基準映像データとの比較により被験者にアドバイスを与える事になる。
【００１２】
次に本発明によるピッチング分析の撮影方法を図２を用いて説明する。
【００１３】
右バッター２０２の頭部位置に設置された左カメラ２０１と、左バッター２０４の頭部位置に設置された右カメラ２０３とで同期連続撮影されたピッチャーの投球映像は、コントローラ２１５の制御により１投球毎に個別の映像ファイルとして記録装置２１１に記録され、１台以上の表示装置２１２，２１３で表示される。例えば表示装置２１２はキャッチャー側の指導者の視聴用であり、表示装置２１３はピッチャーの視聴用と使い分けても良い。
【００１４】
連続撮影された投球映像を１投球毎の個別ファイルに区切る方法としては、例えば特開2006-238393号公報に開示されている様に、ピッチャーの投じたボールを画像認識したり、捕球音等の音声を検出して自動実行する。
【００１５】
次に本発明によるピッチング分析の表示方法を図３を用いて説明する。
【００１６】
図３は図２における表示装置２１２の表示画面２１４を左右に２分割した例で、向かって左半分に左カメラ２０１で撮影された左カメラ映像２０１ａを表示し、向かって右半分に右カメラで撮影された右カメラ映像２０３ａを同期表示する。分析者は表示画面２１４の表示映像をスロー再生やコマ送り再生しながら両者の視差を比較して、被験者にアドバイスを与える事になる。
【００１７】
また本分析方法では、同一ピッチャーによる異なる球種（含球速／コース）の映像や異なるピッチャーによる同一球種の映像を同期表示して分析する事も可能である。この場合の同期方法は、同一被写体を同時撮影する先の場合と異なるので、例えばピッチャーがボールをリリースした瞬間を同期ポイントとして両映像を編集する事で達成される。
【００１８】
次に本発明によるバッティング分析の方法を図４から図６を用いて説明する。
【００１９】
図４はバッティング分析をするバッターの撮影方法を示す図である。バッター視点で撮影されたピッチャーの投球映像を表示装置２１３に表示し、被験者のバッターがこの再生映像に合わせて素振りをする様子を前方カメラ２０５（マウンド側から撮影）、正面カメラ２０６（反対打席側から撮影）、上面カメラ２０７（ホームプレート上空側から撮影）、後方カメラ２０８（キャッチャー側から撮影）の４方向から同期撮影する。この場合、トレーニング効果を上げる為に球種をランダムに変化させても良い。
【００２０】
図５は本発明によるバッター分析方法のブロック図であり、本例ではコントローラ２１５を制御して４台のカメラ２０５，２０６，２０７，２０８の各映像、または映像２０１ａか映像２０３ａを併せた多視点映像として表示装置２１２の表示画面２１４に表示する。
【００２１】
図６は図５における表示装置２１２の表示画面２１４を４分割した例で、左上に上面カメラ２０７の映像２０７ａを表示し、左下に正面カメラ２０６の映像２０６ａを表示し、右下に前方カメラ２０５の映像２０５ａを表示し、右上に映像２０１ａを表示する。分析者は表示画面２１４の４分割映像をスロー再生やコマ送り再生しながら参照して被験者にアドバイスを与える事になる。また分割同期表示する映像を選択する事で投球種やバッターボックス内の立ち位置の違いによるスイングの差異も容易に識別出来る。
【００２２】
尚、上記各分析方法において、コントローラ２１５を制御して表示画面２１４内に格子線やストライクゾーンを合成表示させたり、スピードガンで測定した球速等の付帯情報を同時表示すれば分析が更にやり易くなる事は言うまでもない。
【符号の説明】
【００２３】
１０１  カメラ
１１１  記録装置
１１２  表示装置
１１５  コントローラ
２０１  左カメラ
２０１ａ  左カメラ映像球種ａ
２０２  右バッター
２０３  右カメラ
２０３ａ  右カメラ映像球種ａ
２０４  左バッター
２０５  前方カメラ
２０５ａ  前方カメラ映像球種ａ
２０６  正面カメラ
２０６ａ  正面側面カメラ映像球種ａ
２０７  上面カメラ
２０７ａ  上面カメラ映像球種ａ
２０８  後方カメラ
２０８ａ  後方カメラ映像球種ａ
２１１  記録装置
２１２  表示装置
２１３  表示装置
２１４  表示画面
２１５  コントローラ
【図１】
2012040071.tif 000003
【図２】
2012040071.tif 000004
【図３】
2012040071.tif 000005
【図４】
2012040071.tif 000006
【図５】
2012040071.tif 000007
【図６】
2012040071.tif 000008